(57)【要約】【課題】美的外観に優れ、また、第１の板部材と第２の板部材とを係合するまたはその係合を解除する際の操作性にも優れた留め具および腕時計を提供すること。【解決手段】中留め５は、中板５１と、中板５１に回動可能に支持された下板５２と、中板５１と下板５２との折り畳み状態を保持する保持機構６とを備え、保持機構６は、中板５１に設置された中留め本体７と、中留め本体７に設置され、爪１１３を有する第１の係合部１０と、下板５２に対し回動可能に支持され、爪８１を有する係合部材８と、係合部材８を反時計回りに付勢するトーションバネ９とを有している。中留め５は、中留め本体７を操作することにより、第１の係合部１０の爪１１３と係合部材８の爪８１とが係合する係合状態と、その状態が解除された解除状態とを取り得る。【選択図】図９
2011041629.tif 000002
【特許請求の範囲】
【請求項１】
第１の板部材と、
前記第１の板部材の一端部に回動可能に支持された第２の板部材と、
前記第１の板部材と前記第２の板部材とが互いに接近して折り畳まれた折り畳み状態を保持する保持機構とを備え、
前記保持機構は、前記第１の板部材の他端部に設置されたベースと、
前記ベースに設けられた第１の係合部と、
前記第２の板部材に対し回動可能に支持され、前記折り畳み状態で前記第１の係合部と係合する第２の係合部を有する係合部材と、
前記第２の板部材に設けられ、前記係合部材に対してその回転方向のうちの一方向に向かって付勢する付勢部材と、を有し、
前記第１の板部材と前記第２の板部材とが離間して展開した展開状態から前記第１の板部材と前記第２の板部材とを接近させた際には、前記係合部材は、前記第１の係合部に前記一方向に向かって押圧されて回動することによって、前記第２の係合部が前記第１の係合部と係合し、前記第１の板部材と前記第２の板部材とが前記折り畳み状態となり、
前記折り畳み状態から前記第１の板部材と前記第２の板部材とを離間させた際には、前記係合部材が回動することによって前記第１の係合部の前記第２の係合部との係合が解除され、前記第１の板部材と前記第２の板部材とが前記展開状態となることを特徴とする留め具。
【請求項２】
前記ベースは、板状をなし、その一方の面に凹部が形成されたベース本体を有し、
前記第１の係合部は、前記凹部内に位置する請求項１に記載の留め具。
【請求項３】
前記折り畳み状態では、前記係合部材および前記付勢部材は、前記凹部内に一括して収納される請求項２に記載の留め具。
【請求項４】
前記第１の係合部は、前記ベースとは別体で構成され、該ベースと連結する連結部材を介して、連結されている請求項１ないし３のいずれかに記載の留め具。
【請求項５】
前記連結部材は、長さが前記ベース本体の幅方向に伸縮自在な棒状体で構成されている請求項４に記載の留め具。
【請求項６】
前記第１の係合部は、前記連結部材を回動軸として回動可能な部分を有する請求項５に記載の留め具。
【請求項７】
前記係合部材は、その形状がブロック状をなすものであり、
前記第２の係合部は、前記係合部材の外面から突出して形成された爪である請求項１ないし６のいずれかに記載の留め具。
【請求項８】
前記付勢部材は、トーションバネで構成されている請求項１ないし７のいずれかに記載の留め具。
【請求項９】
請求項１ないし８のいずれかに記載の留め具を備え、該留め具を腕時計用バンドの中留めとして使用したことを特徴とする腕時計。
【発明の詳細な説明】
【技術分野】
【０００１】
本発明は、留め具および腕時計に関する。
【背景技術】
【０００２】
従来、腕時計のバンドの中留めとしては、当該腕時計を腕に装着するときに折り畳まれる２枚の板部材と、その折り畳まれた板部材同士を係合させる係合機構とを備えるものが知られている（例えば、特許文献１参照）。
この特許文献１に記載の中留めでは、係合機構は、２枚の板部材のうちの一方の板部材側に設置された蓋部材（上板）と、蓋部材に設置された一対の係合片と、他方の板部材側に設置され、各係合片に係合する係合ピンとを有している。このような構成の係合機構は、各係合片が係合ピンに係合することにより、２枚の板部材の折り畳まれた状態を維持し、よって、腕時計が腕から不本意に離脱するのを防止している。
【０００３】
そして、腕時計を腕から取り外す際には、各係合片にそれぞれ設けられた押圧部（プッシュボタン）を押圧操作して、各係合片の係合ピンとの係合を解除し、その取り外しを行なっていた。このように、特許文献１に記載の中留めは、各係合片の押圧部を一旦押圧してからでなければ、各係合片と係合ピンとの係合を解除することができず、その係合解除操作、すなわち、腕時計の取り外し操作の操作性に劣るものであった。
【０００４】
また、特許文献１に記載の中留めでは、各係合片の押圧部がそれぞれ蓋部材から突出している。そして、この突出した押圧部を有する中留めのために、腕時計全体としての高級感（審美性）が損なわれたように感じられる。
また、この突出した押圧部が例えば上着やズボンのポケット等に引っ掛かってしまう場合がある。この場合、押圧部が押圧されてしまい、結果、各係合片と係合ピンとの係合が解除されて、腕時計が腕から不本意に離脱することがあった。このように特許文献１に記載の中留めでは、不本意な解除操作が行われるおそれもあった。
【先行技術文献】
【特許文献】
【０００５】
【特許文献１】特開２００３−１８０４１８号公報
【発明の概要】
【発明が解決しようとする課題】
【０００６】
本発明の目的は、美的外観に優れ、また、第１の板部材と第２の板部材とを係合するまたはその係合を解除する際の操作性にも優れた留め具および腕時計を提供することにある。
【課題を解決するための手段】
【０００７】
このような目的は、下記の本発明により達成される。
本発明の留め具は、第１の板部材と、
前記第１の板部材の一端部に回動可能に支持された第２の板部材と、
前記第１の板部材と前記第２の板部材とが互いに接近して折り畳まれた折り畳み状態を保持する保持機構とを備え、
前記保持機構は、前記第１の板部材の他端部に設置されたベースと、
前記ベースに設けられた第１の係合部と、
前記第２の板部材に対し回動可能に支持され、前記折り畳み状態で前記第１の係合部と係合する第２の係合部を有する係合部材と、
前記第２の板部材に設けられ、前記係合部材に対してその回転方向のうちの一方向に向かって付勢する付勢部材と、を有し、
前記第１の板部材と前記第２の板部材とが離間して展開した展開状態から前記第１の板部材と前記第２の板部材とを接近させた際には、前記係合部材は、前記第１の係合部に前記一方向に向かって押圧されて回動することによって、前記第２の係合部が前記第１の係合部と係合し、前記第１の板部材と前記第２の板部材とが前記折り畳み状態となり、
前記折り畳み状態から前記第１の板部材と前記第２の板部材とを離間させた際には、前記係合部材が回動することによって前記第１の係合部の前記第２の係合部との係合が解除され、前記第１の板部材と前記第２の板部材とが前記展開状態となることを特徴とする。
これにより、美的外観に優れ、すなわち、審美性が高く、また、第１の板部材と第２の板部材とを係合するまたはその係合を解除する際の操作性にも優れた留め具を提供することができる。
【０００８】
本発明の留め具では、前記ベースは、板状をなし、その一方の面に凹部が形成されたベース本体を有し、
前記第１の係合部は、前記凹部内に位置することが好ましい。
これにより、第１の係合部がベース本体に覆われる（隠れる）こととなり、よって、留め具は、審美性がより高い、すなわち、美的外観により優れたものとなる。
本発明の留め具では、前記折り畳み状態では、前記係合部材および前記付勢部材は、前記凹部内に一括して収納されることが好ましい。
これにより、係合部材および付勢部材がベース本体に覆われる（隠れる）こととなり、よって、留め具は、審美性がより高い、すなわち、美的外観により優れたものとなる。
【０００９】
本発明の留め具では、前記第１の係合部は、前記ベースとは別体で構成され、該ベースと連結する連結部材を介して、連結されていることが好ましい。
これにより、第１の係合部をベースに確実に連結することができる。
本発明の留め具では、前記連結部材は、長さが前記ベース本体の幅方向に伸縮自在な棒状体で構成されていることが好ましい。
これにより、棒状体をベースに装着する際の装着操作を容易に行なうことができ、装着後当該棒状体がベースから不本意に離脱するのが防止される。
【００１０】
本発明の留め具では、前記第１の係合部は、前記連結部材を回動軸として回動可能な部分を有することが好ましい。
これにより、第１の係合部と第２の係合部との係合と、その係合の解除とを確実に行なうことができる。
本発明の留め具では、前記係合部材は、その形状がブロック状をなすものであり、
前記第２の係合部は、前記係合部材の外面から突出して形成された爪であることが好ましい。
これにより、折り畳み状態で、第１の係合部と第２の係合部とが確実に係合する。
本発明の留め具では、前記付勢部材は、トーションバネで構成されていることが好ましい。
これにより、係合部材を簡単な構成で付勢することができる。
【００１１】
本発明の腕時計は、本発明の留め具を備え、該留め具を腕時計用バンドの中留めとして使用したことを特徴とする。
これにより、美的外観に優れ、また、第１の板部材と第２の板部材とを係合するまたはその係合を解除する際の操作性にも優れた留め具を、腕時計用バンドの中留めとして備える腕時計を提供することができる。
【発明の効果】
【００１２】
本発明によれば、美的外観に優れ、また、第１の板部材と第２の板部材とを係合するまたはその係合を解除する際の操作性にも優れた留め具を提供すること、当該留め具を備えた腕時計を提供することができる。
【図面の簡単な説明】
【００１３】
【図１】本発明の留め具を腕時計の中留めに適用した場合（本発明の腕時計）の第１実施形態を示す斜視図である。
【図２】図１に示す中留めを矢印Ａ方向から見た図（側面図）である。
【図３】図１に示す中留めを矢印Ｂ方向から見た図（平面図）である。
【図４】図１に示す中留めが有する第１の係合部の分解斜視図である。
【図５】図１に示す中留めが有する第２の係合部の分解斜視図である。
【図６】図１に示す中留めの折り畳み状態での縦断面図である。
【図７】図２に示す中留めを矢印Ｃ方向から見た図である。
【図８】図１中の中留めが有する連結棒を示す縦断面図である。
【図９】図１に示す中留めの展開状態から折り畳み状態に変化する過程を示す縦断面図である。
【図１０】本発明の留め具（第２実施形態）を腕時計の中留めに適用した場合（本発明の腕時計）が有する第１の係合部を示す分解斜視図である。
【図１１】本発明の留め具（第２実施形態）を腕時計の中留めに適用した場合（本発明の腕時計）が有する第２の係合部の２つの構成例を示す縦断面図である。
【図１２】第２実施形態の中留めの展開状態から折り畳み状態に変化する過程を示す縦断面図である。
【図１３】第２実施形態の中留めの折り畳み状態から展開状態に変化する過程を示す縦断面図である。
【図１４】本発明の留め具（第３実施形態）を腕時計の中留めに適用した場合（本発明の腕時計）が有する第１の係合部を示す分解斜視図である。
【図１５】第３実施形態の中留めの展開状態から折り畳み状態に変化する過程を示す縦断面図である。
【発明を実施するための形態】
【００１４】
以下、本発明の留め具および腕時計を添付図面に示す好適な実施形態に基づいて詳細に説明する。
＜第１実施形態＞
図１は、本発明の留め具を腕時計の中留めに適用した場合（本発明の腕時計）の第１実施形態を示す斜視図、図２は、図１に示す中留めを矢印Ａ方向から見た図（側面図）、図３は、図１に示す中留めを矢印Ｂ方向から見た図（平面図）、図４は、図１に示す中留めが有する第１の係合部の分解斜視図、図５は、図１に示す中留めが有する第２の係合部の分解斜視図、図６は、図１に示す中留めの折り畳み状態での縦断面図、図７は、図２に示す中留めを矢印Ｃ方向から見た図、図８は、図１中の中留めが有する連結棒を示す縦断面図、図９は、図１に示す中留めの展開状態から折り畳み状態に変化する過程を示す縦断面図である。なお、以下では、説明の都合上、図２、図４〜図６および図９中（図１０〜図１５についても同様）の上側を「上」または「上方」、下側を「下」または「下方」と言う。また、以下では、腕時計としては、機械式のものを一例に挙げて説明する。
【００１５】
図１に示すように、機械式腕時計（以下、単に「時計」という）１は、外装部（ケース）２と、外装部２の内部に設置（収納）され、時計用針３１を駆動するムーブメント３と、時計１を腕に装着する際に用いられるバンド（腕時計用バンド）４とを備えている。
外装部２は、胴部２３と、ガラス板（カバーガラス）２１と、ガラス板２１を保持するベゼル２２と、胴部２３の裏側に設置される裏蓋とを有している。
【００１６】
胴部２３には、巻真パイプ（図示せず）が嵌入され、この巻真パイプに、りゅうず２４が回転可能に設けられている。りゅうず２４を回転させることにより、そのトルクがムーブメント３に伝わる。これにより、時計用針３１を調整することができる、すなわち、表示する時刻を調整することができる。
バンド４は、一端部がそれぞれ外装部２に連結された第１のバンド本体４１および第２のバンド本体４２と、第１のバンド本体４１および第２のバンド本体４２の他端部同士を連結する中留め（留め具）５とで構成されている。
第１のバンド本体４１および第２のバンド本体４２は、それぞれ、可撓性を有し、例えば、多数の小片（チップ）が互いに回動可能に連結された（鎖状に連結された）ものである。
【００１７】
中留め５は、長尺な中板（第１の板部材）５１と、中板５１の一端部に回動可能に連結、支持された長尺な下板（第２の板部材）５２と、保持機構６とを備えている。以下、各部の構成について説明する。なお、中留め５を構成するこれらの部材は、例えば、アルミニウム合金やステンレス鋼等の各種金属材料で構成することができる。
図３に示すように、中板５１は、下板５２を介して、互いに離間した一対の帯状をなす帯体５１１で構成されている。図２に示すように、各帯体５１１は、それぞれ、湾曲しており、その湾曲の程度は、一般的な成人の手首周りの湾曲の程度に近似している。
【００１８】
また、図３に示すように、中板５１の図中左側の端部（左端部５１２）には、下板５２の右端部５２１が回動可能に支持、連結されている。下板５２の左端部５２２は、第２のバンド本体４２に回動可能に支持、連結されている。なお、この連結構造としては、特に限定されないが、例えば、軸と軸受けとによる構造を用いることができる。
下板５２も帯体５１１と同様に湾曲しており、その湾曲の程度は、一般的な成人の手首周りの湾曲の程度に近似している。
【００１９】
中留め５では、このように中板５１と下板５２とが連結されていることにより、これらの板部材同士が互いに接近して折り畳まれた折り畳み状態と、板部材同士が離間して展開した展開状態とを取り得る（図２参照）。折り畳み状態では、下板５２が帯体５１１同士の間に位置する。また、折り畳み状態は、保持機構６によりその状態が保持される（図６、図９（ｃ）参照）。
【００２０】
時計１では、中板５１と下板５２とが折り畳まれると、その分、バンド４全体としての実質的な長さが短くなる。これにより、時計１を腕に巻き付けて装着することができる。また、中板５１と下板５２とを折り畳み状態から展開状態とすると、バンド４全体としての実質的な長さが長くなる。これにより、腕に装着された時計１を取り外すことができる。
【００２１】
保持機構６は、前述したように、中板５１と下板５２との折り畳み状態を保持するものである。図２、図３、図６および図７に示すように、保持機構６は、中留め本体（ベース）７と、中留め本体７に対し固定的に設置された第１の係合部１０と、下板５２に対し回動可能に支持された係合部材（第２の係合部材）８と、係合部材８を付勢する付勢部材としてのトーションバネ（ねじりコイルバネ（第２の付勢部材））９とを有している。
【００２２】
図３に示すように、中留め本体７は、中板５１（帯体５１１）の右端部（他端部）５１３に設置されている。図６、図７に示すように、この中留め本体７は、上蓋（ベース本体）７１と、第１の係合部１０を上蓋７１に連結する連結棒（連結部材（棒状体））７９ａとで構成されている。この中留め本体７は、中板５１と下板５２とを展開状態から折り畳み状態に、またはその反対に、折り畳み状態から展開状態とする際に、手で把持して（指で摘んで）その操作を行なうことができる。このように、中留め本体７は、操作部材としての機能も有している。
上蓋７１は、板状をなし、その下面（一方の面）に凹部が形成されたものである。換言すれば、上蓋７１は、天板７１１と、天板７１１の幅方向の両縁部からそれぞれ下方に向かって突出した側壁７１２とで構成され、天板７１１と各側壁７１２とで空間７１３（前記凹部に相当）が画成された（形成された）ものである。
【００２３】
図７に示すように、各側壁７１２の内側の面（内面７１４）、すなわち、空間７１３に臨む面には、それぞれ、連結棒７９ａを支持する軸受け７１５ａが形成されている。
各軸受け７１５ａは、それぞれ、側壁７１２を貫通しない袋穴となっている。例えば軸受け７１５ａが側壁７１２を貫通する貫通孔で構成されている場合、その貫通孔が側壁７１２の外面７１６に現れて（開口して）、上蓋７１の審美性が損なわれる。しかしながら、図７に示す構成のように各軸受け７１５ａがそれぞれ袋穴で構成されて、側壁７１２の外面７１６に現れるのが防止されていることにより、上蓋７１に高級感（無垢感）が得られ、よって、当該上蓋７１の審美性が向上する。
なお、図７に示すように、上蓋７１は、連結棒７９ａを介して、その左端部が中板５１と連結されている。また、上蓋７１の右端部は、第１のバンド本体４１と連結され、その連結構造としては、特に限定されないが、例えば、前記上蓋７１の左端部と中板５１との連結構造と同様のものとすることができる。
【００２４】
図８に示すように、連結棒７９ａは、筒体７９１と、筒体７９１に挿入された一対の軸部７９２と、これら軸部を互いに反対方向に付勢するコイルバネ７９５とで構成されている。
筒体７９１は、円筒状をなし、その両端部がそれぞれかしめられたものである。
各軸部７９２は、それぞれ、円板状のフランジ７９３と、フランジ７９３の中心部から外方に向かって突出したピン７９４とで構成されている。軸部７９２は、フランジ７９３が筒体７９１の前記かしめられた部分に当接することにより、当該筒体７９１から離脱するのが防止される（図８参照）。また、ピン７９４は、上蓋７１の軸受け７１５ａに挿入される部分である（図７参照）。
【００２５】
コイルバネ７９５は、その両端がそれぞれ軸部７９２のフランジ７９３に当接して、圧縮した状態で筒体７９１内に収納されている。これにより、各軸部７９２を互いに反対方向に付勢することができる。図７に示すように、連結棒７９ａを上蓋７１に装着する際には、まず、各軸部７９２をそれぞれコイルバネ７９５の付勢力に抗して押圧し、連結棒７９ａ全体としての長さを短くする。そして、この状態の連結棒７９ａを上蓋７１の側壁７１２同士の間（空間７１３）の軸受け７１５ａに対応する位置に位置させて、前記押圧力を解除する。このとき、コイルバネ７９５の付勢力によって各軸部７９２がそれぞれ外側に移動して、ピン７９４が軸受け７１５ａに挿入される。これにより、連結棒７９ａが上蓋７１に装着される。
このように、連結棒７９ａは、その長さが上蓋７１の幅方向に伸縮自在に構成されている。これにより、連結棒７９ａを上蓋７１に装着する際の装着操作を容易に行なうことができ、装着後当該連結棒７９ａが上蓋７１から不本意に離脱するのが防止される。
【００２６】
図６に示すように、上蓋７１の空間７１３内には、第１の係合部１０が位置している。この第１の係合部１０は、長尺体１１で構成され、その長手方向に貫通する貫通孔１１２が形成されたものである（図４参照）。保持機構６では、貫通孔１１２に連結棒７９ａを挿通し、その状態で連結棒７９ａの各ピン７９４をそれぞれ上蓋７１の軸受け７１５ａに挿入することができる。これにより、連結棒７９ａを介して、長尺体１１が上蓋７１（中留め本体７）と確実に連結される。
【００２７】
また、長尺体１１（第１の係合部１０）が上蓋７１の空間７１３内に位置していることより、第１の係合部１０が上蓋７１に覆われることになり、よって、中留め５は、審美性が高い、すなわち、美的外観に優れたものとなる。
この長尺体１１は、平面で構成された天面（上面）１１１を有している（図４、図６参照）。図６に示すように、長尺体１１は、上蓋７１に連結された際には、天面１１１が上蓋７１の天板７１１に当接する。これにより、長尺体１１が連結棒７９ａ回りに不本意に回転するのが規制され、よって、当該長尺体１１を確実に固定することができる。
【００２８】
また、長尺体１１には、図６（図９（ｃ））に示す折り畳み状態で係合部材８の爪（第２の係合部）８１と係合する爪１１３が図中の右側に向かって突出形成されている。爪１１３は、長尺体１１の長手方向に沿って延在している。この爪１１３の上側の部分および下側の部分には、それぞれ、傾斜面１１４および１１５が形成されている。図６に示すように、傾斜面１１４の傾斜角度θ１（天面１１１（図中の左右方向）に対する角度）と傾斜面１１５の傾斜角度θ２（天面１１１（図中の左右方向）に対する角度）とは、互いに異なっており、傾斜角度θ１が傾斜角度θ２よりも小さい。また、折り畳み状態では、傾斜面１１４は、係合部材８の爪８１と係合する係合面として機能する。
【００２９】
図５、図６、図９に示すように、係合部材８は、下板５２に設置された支持部材５４と軸部材５５とにより、下板５２に対し回動可能に支持されている。係合部材８は、その形状がブロック状をなすものであり、両側面にそれぞれ開口する、軸部材５５が挿通可能な挿通孔８２が形成されている。
この係合部材８の外周部（外面）からは、爪８１が突出形成されている。この爪８１は、挿通孔８２と平行に延在して（配置されて）いる。爪８１は、中板５１と下板５２とが折り畳み状態となったときに、長尺体１１の爪１１３の傾斜角度θ１が小さい傾斜面１１４に確実に係合する（係止する）ことができる（図６、図９（ｃ）参照）。これにより、この係合が不本意に解除されるのが防止される。
【００３０】
係合部材８の外周部の挿通孔８２を介して爪８１と反対側の部分は、丸みを帯びた湾曲部８５となっている。湾曲部８５が形成されていることにより、係合部材８が軸部材５５（挿通孔８２）回りに回転した際、係合部材８が支持部材５４の底部５４１と干渉するのを防止することができる（図９参照）。
また、係合部材８の外周部の湾曲部８５よりも上部には、挿通孔８２と平行に延在する溝８６が形成されている。溝８６は、後述するトーションバネ９の腕９２が配置される（挿入される）部分であり、バネ当接部（バネ座）として機能する。
【００３１】
図５に示すように、係合部材８を支持する支持部材５４は、底部５４１と、底部５４１の両端部からそれぞれ上方に向かって立設した壁部５４２ａ、５４２ｂと、底部５４１の中央部から下方に向かって突出した固定部５４３とで構成されている。
底部５４１は、板状をなす部分である。この底部５４１は、係合部材８の外周部の挿通孔８２を介して溝８６と反対側の部分（角部８７）が当接することにより、係合部材８のそれ以上の反時計回りの回転を規制することができる。
【００３２】
各壁部５４２ａ、５４２ｂには、それぞれ、その厚さ方向に貫通する貫通孔５４４が形成されている。図５中「矢印I」および「矢印II」に示すように、軸部材５５は、各貫通孔５４４を係合部材８（トーションバネ９とともに）ごと一括して挿通することができる。これにより、係合部材８が確実に回動可能に支持される。
固定部５４３は、支持部材５４を下板５２に固定する柱状の部分である。下板５２には、その厚さ方向に貫通する貫通孔５２３が形成されている。この貫通孔５２３に固定部５４３を挿入し、固定部５４３の下端部をかしめることにより、支持部材５４を下板５２に固定することができる。
【００３３】
図５に示すように、軸部材５５は、円柱状をなし、その一端部に外径が拡径したフランジ部５５１が形成されたものである。軸部材５５を壁部５４２ａの貫通孔５４４から挿入すると、壁部５４２ｂの貫通孔５４４からは、軸部材５５の他端部５５２が突出する。この突出した他端部５５２をかしめることにより、軸部材５５が支持部材５４から離脱するのが確実に防止される。
係合部材８は、前述したように軸部材５５回りに回転するものである。そして、この係合部材８は、トーションバネ９により、その回転方向のうちの一方向に向かって（図中では反時計回りに）付勢される。トーションバネ９は、軸部材５５とともに係合部材８の挿通孔８２に挿入される。
【００３４】
図５に示すように、トーションバネ９は、例えば金属材料で構成された線状体９１をコイル状に巻回し、そのコイルの両端部をそれぞれほどいて形成した腕９２、９３を有している。腕９２は、係合部材８の溝８６に当接し、腕９３は、支持部材５４の底部５４１に当接している（図６、図９参照）。このトーションバネ９は、腕９２、９３同士の間隔が、外力が付与されない自然状態のときよりも小さくなるように、設置されている。これにより、簡単な構成で、係合部材８に対し反時計回りに確実に付勢することができる。
なお、トーションバネ９の付勢力の大きさの設定方法としては、特に限定されず、例えば、線状体９１の太さ（線径）、線状体９１の巻数（有効巻数）、線状体９１の構成材料等を適宜設定、選択する方法が挙げられる。
【００３５】
また、図６および図９（ｃ）に示すように、折り畳み状態では、係合部材８と、トーションバネ９と、これらを支持する支持部材５４および軸部材５５は、上蓋７１の空間７１３に収納される（格納される）。これにより、これらの部材が上蓋７１に覆われる（隠れる）ことになり、よって、中留め５は、審美性が高い、すなわち、美的外観に優れたものとなる。
【００３６】
次に、中留め５の作動状態（主として、中留め５が展開状態から折り畳み状態に変化する過程）について、図２、図９を参照しつつ説明する。
図２に示すように、展開状態の中留め５の中留め本体７を把持して図中矢印Ｅ方向（反時計回りに）に移動操作すると、中留め本体７は、下板５２に経時的に（徐々に）接近する。そして、遂には、中留め本体７に設置された第１の係合部１０（長尺体１１）の爪１１３の傾斜面１１５が、下板５２に設置された係合部材８の爪８１に当接する（図９（ａ）参照）。
【００３７】
図９（ａ）に示す状態から中留め本体７を下板５２に向かって押し込む（押圧する）と、図９（ｂ）に示すように、係合部材８の爪８１は、第１の係合部１０の爪１１３の傾斜面１１５に押圧されて、相対的に傾斜面１１５を摺動しつつ登る。このとき、係合部材８は、トーションバネ９の付勢力に抗して、時計回りに回転する。
図９（ｂ）に示す状態から中留め本体７をさらに下板５２に向かって押し込む。これにより、図９（ｃ）に示すように、第１の係合部１０の爪１１３の傾斜面１１５を登っていた係合部材８の爪８１が当該爪１１３を乗り越える。このとき、係合部材８は、トーションバネ９の付勢力により反時計回りに回転しよう（元の図９（ａ）に示す状態に戻ろう）とする。これにより、係合部材８は、爪８１が第１の係合部１０の爪１１３の傾斜面１１４と係合する（押し合う）ことができ、よって、中留め５が折り畳み状態で維持される。
【００３８】
また、折り畳み状態（図９（ｃ）に示す状態）の中留め５の中留め本体７を把持して、図２に示すように、図中矢印Ｆ方向（時計回りに）に引張り操作（移動操作）する。この操作により、前記と逆の動作が行われる。すなわち、係合部材８の爪８１が第１の係合部１０の爪１１３の傾斜面１１４を下り、その後、当該爪１１３を乗り越える。これにより、第１の係合部１０の爪１１３と係合部材８の爪８１との係合が解除され、よって、中留め５を展開状態とすることができる。
【００３９】
また、前述したように、第１の係合部１０の爪１１３では、傾斜面１１４の傾斜角度θ１と傾斜面１１５の傾斜角度θ２とが互いに異なっている、具体的には、傾斜角度θ１が傾斜角度θ２よりも小さくなっている。これにより、図９（ａ）に示す状態から図９（ｃ）に示す状態となる過程で、係合部材８の爪８１が第１の係合部１０の爪１１３の傾斜面１１５を容易に登ることができ、その結果、当該爪１１３を確実に乗り越えることができる。また、その後、第１の係合部１０の爪１１３の傾斜面１１４に係合部材８の爪８１が係合した際には、その係合が不本意に解除されるのが防止される。
このように、中留め５では、中留め本体７を押し込んだり（押圧したり）、引張ったりするという簡単な操作で、中板５１と下板５２とが保持機構６により係合した状態と、その係合状態を解除した状態とを取り得、操作性に優れたものとなっている。また、前述したように、中留め５は、美的外観に優れる、すなわち、審美性が高いものでもある。
【００４０】
＜第２実施形態＞
図１０は、本発明の留め具（第２実施形態）を腕時計の中留めに適用した場合（本発明の腕時計）が有する第１の係合部を示す分解斜視図、図１１は、本発明の留め具（第２実施形態）を腕時計の中留めに適用した場合（本発明の腕時計）が有する第２の係合部の２つの構成例を示す縦断面図、図１２は、第２実施形態の中留めの展開状態から折り畳み状態に変化する過程を示す縦断面図、図１３は、第２実施形態の中留めの折り畳み状態から展開状態に変化する過程を示す縦断面図である。
【００４１】
以下、これらの図を参照して本発明の留め具および腕時計の第２実施形態について説明するが、前述した実施形態との相違点を中心に説明し、同様の事項はその説明を省略する。
本実施形態は、主として第１の係合部および第２の係合部のそれぞれの構成が異なること以外は前記第１実施形態と同様である。
【００４２】
図１０に示す第１の係合部１０Ａは、トーションバネ（第１の付勢部材）１２と、トーションバネ１２を支持する支持部材１３とで構成されている。
トーションバネ１２は、例えば金属材料で構成された線状体１２１をコイル状に巻回し、そのコイルの両端部に腕１２２ａ、１２２ｂと、中央部に腕１２３とを有している。また、腕１２２ａおよび１２２ｂと腕１２３とは、互いに反対方向に突出している。腕１２２ａ、１２２ｂは、それぞれ、支持部材１３に当接する（図１２、図１３参照）。腕１２３は、係合部材８の爪８１と係合する部分であり、連結棒７９ａを回動軸として回動することができる。
なお、トーションバネ１２の付勢力の大きさの設定方法としては、特に限定されず、例えば、線状体１２１の太さ（線径）、線状体１２１の巻数（有効巻数）、線状体１２１の構成材料等を適宜設定、選択する方法が挙げられる。
【００４３】
このトーションバネ１２は、中留め５が展開状態のときは、自然状態で支持部材１３に支持されている。この支持部材１３は、長尺体で構成され、その長手方向に貫通する貫通孔１３１が形成されたものである。図１０中「矢印III」および「矢印IV」に示すように、トーションバネ１２とともに貫通孔１３１に連結棒７９ａを挿通することができる。そして、その挿通状態で連結棒７９ａの各ピン７９４をそれぞれ上蓋７１の軸受け７１５ａに挿入することができ、よって、連結棒７９ａを介して、第１の係合部１０Ａが上蓋７１に確実に連結される。
【００４４】
また、支持部材１３には、その途中２箇所に溝１３２ａ、１３２ｂが形成されている。溝１３２ａには、トーションバネ１２の腕１２２ａが挿入され当接し、溝１３２ｂには、トーションバネ１２の腕１２２ｂが挿入され当接する。これにより、図１２（ａ）、（ｂ）に示すように、トーションバネ１２の腕１２３が係合部材８の爪８１を押圧して当該爪８１からの反力を受けた際、トーションバネ１２全体が不本意に回転するのを防止することができる。
この支持部材１３は、平面で構成された天面（上面）１３３を有している。図１２に示すように、支持部材１３は、上蓋７１に連結された際には、天面１３３が上蓋７１の天板７１１に当接する。これにより、支持部材１３が連結棒７９ａ回りに不本意に回転するのが規制され、よって、当該支持部材１３を確実に固定することができる。
【００４５】
図１１に示すように、係合部材８には、図１１（ａ）に示すもの（前記第１実施形態の係合部材８と同様のもの）と、図１１（ｂ）に示すものとがある。図１１（ｂ）に示す係合部材８は、軸部材５５から爪８１との距離が、図１１（ａ）に示す係合部材８での軸部材５５から爪８１との距離よりも長いものである。これにより、図１１（ｂ）に示す係合部材８では、爪８１がトーションバネ１２の腕１２３に押圧された際、軸部材５５回りのモーメントが生じ易くなり、よって、より確実に回転することができる。
【００４６】
また、図１１に示すように、支持部材５４Ａの底部５４１には、その一部が傾斜した当接面（ストッパ面）５４５が形成されている。この当接面５４５には、係合部材８の底面（下面）８８が当接することができる。これにより、係合部材８が角部８７で当接する（前記第１実施形態）よりも広い面積で当接することができ、よって、当該係合部材８のそれ以上の反時計回りの回転がより確実に規制される。
なお、中留め５（時計１）では、図１１（ａ）に示す形態のものと、図１１（ｂ）に示す形態のものとを適宜選択することができる。
【００４７】
次に、中留め５の作動状態、すなわち、中留め５が展開状態から折り畳み状態に変化する過程と、中留め５が折り畳み状態から展開状態に変化する過程とについて、図２、図１２、図１３を参照しつつ説明する。
［１］中留め５が展開状態から折り畳み状態に変化する過程
図２に示すように、展開状態の中留め５の中留め本体７を把持して図中矢印Ｅ方向（反時計回りに）に移動操作すると、中留め本体７は、下板５２に経時的に（徐々に）接近する。そして、遂には、中留め本体７に設置された第１の係合部１０Ａのトーションバネ１２の腕１２３が、下板５２に設置された係合部材８の爪８１に当接する（図１２（ａ）参照）。
【００４８】
図１２（ａ）に示す状態から中留め本体７を下板５２に向かって押し込む（押圧する）と、図１２（ｂ）に示すように、トーションバネ１２の腕１２３は、係合部材８の爪８１により上方に押圧されて、自身の弾性力に抗して反時計回りに回転する。
図１２（ｂ）に示す状態から中留め本体７をさらに下板５２に向かって押し込む。これにより、係合部材８の爪８１がトーションバネ１２の腕１２３をさらに上方に押圧するため、当該腕１２３の弾性力が増大し、この増大した弾性力によりトーションバネ１２の腕１２３が反時計回りに回転し、係合部材８の爪８１を乗り越える。これにより、トーションバネ１２の腕１２３と係合部材８の爪８１とが係合する（押し合う）ことができ、よって、中留め５が折り畳み状態で維持される。
【００４９】
［２］中留め５が折り畳み状態から展開状態に変化する過程
図２に示すように、折り畳み状態（図１３（ｄ）に示す状態）の中留め５の中留め本体７を把持して図中矢印Ｆ方向（時計回りに）に引張り操作（移動操作）すると、図１３（ｅ）に示すように、中留め本体７は、上方に向かって移動し始める。この移動に際し、トーションバネ１２の腕１２３は支持部材１３の中央部に形成した切り欠き面に当接し時計回り方向への回転が規制され、当該規制された状態でトーションバネ１２の腕１２３が係合部材８の爪８１を押し上げるため、当該係合部材８は、トーションバネ９の付勢力に抗して、時計回りに回転する。
【００５０】
図１３（ｅ）に示す状態から中留め本体７をさらに操作すると、図１３（ｆ）に示すように、トーションバネ１２の腕１２３が係合部材８の爪８１を再度乗り越えて、これらの係合が解除され、よって、中留め５を展開状態とすることができる。また、このとき、トーションバネ９の付勢力により、係合部材８が反時計回りに回転して、元の状態に戻る。
このように、本実施形態の中留め５でも、中留め本体７を押し込んだり、引張ったりするという簡単な操作で、中板５１と下板５２とが保持機構６により係合した状態と、その係合状態を解除した状態とを取り得、操作性に優れたものとなっている。
また、このように、腕１２３が連結棒７９ａを回動軸として回動することができことにより、係合部材８の爪８１との係合と、その係合の解除とを確実に行なうことができる。
【００５１】
＜第３実施形態＞
図１４は、本発明の留め具（第３実施形態）を腕時計の中留めに適用した場合（本発明の腕時計）が有する第１の係合部を示す分解斜視図、図１５は、第３実施形態の中留めの展開状態から折り畳み状態に変化する過程を示す縦断面図である。
以下、これらの図を参照して本発明の留め具および腕時計の第３実施形態について説明するが、前述した実施形態との相違点を中心に説明し、同様の事項はその説明を省略する。
本実施形態は、第１の係合部の構成が異なること以外は前記第２実施形態と同様である。
【００５２】
図１４に示す第１の係合部１０Ｂは、係合部材（第１の係合部材）１４と、トーションバネ（第１の付勢部材）１５と、係合部材１４とトーションバネ１５とを支持する支持部材１６とで構成されている。
係合部材１４は、リング状（環状）の部材で構成されおり、その中心に連結棒７９ａが挿通可能な挿通孔１４２が形成されている。そして、係合部材１４は、挿通孔１４２に挿通した連結棒７９ａ回りに回動することができる（図１５参照）。
【００５３】
また、係合部材１４の外周部からは、爪１４１が突出形成されている。爪１４１は、中板５１と下板５２とが折り畳み状態となったときに、係合部材８の爪８１に係合することができる（図１５（ｃ）参照）。爪１４１は、山状に隆起している。そして、この爪１４１には、挿通孔１４２の軸に対して垂直な係合面１４３と、係合面１４３の反対側に当該係合面１４３に対し傾斜した傾斜面１４４とが形成されている。爪１４１では、係合面１４３が係合部材８の爪８１に係合することにより、その係合が確実に行なわれる、すなわち、係合が不本意に解除されるのが防止される。
また、係合部材１４の外周部には、爪１４１の挿通孔１４２を介して反対側の部分に、溝１４５が挿通孔１４２と平行に形成されている。溝１４５は、トーションバネ１５の腕１５２が配置される（挿入される）部分であり、バネ当接部（バネ座）として機能する。
【００５４】
トーションバネ１５は、例えば金属材料で構成された線状体１５１をコイル状に巻回し、そのコイルの両端部に腕１５２、１５３を有している。腕１５２は、係合部材１４の溝１４５に当接し、腕１５３は、支持部材１６の溝１６２の底部に当接している（図１５参照）。このトーションバネ１５は、腕１５２、１５３同士の間隔が、外力が付与されない自然状態のときよりも小さくなるように、設置されている。これにより、簡単な構成で、係合部材１４に対し時計回りに確実に付勢することができる。なお、係合部材１４は、その平面で構成された頂面（上面）１４６が上蓋７１の天板７１１に当接することにより、それ以上の時計回りの回転が規制される（図１５（ａ）、（ｃ）参照）。
トーションバネ１５の付勢力の大きさの設定方法としては、特に限定されず、例えば、線状体１５１の太さ（線径）、線状体１５１の巻数（有効巻数）、線状体１５１の構成材料等を適宜設定、選択する方法が挙げられる。
【００５５】
支持部材１６は、係合部材１４およびトーションバネ１５を支持するものである。この支持部材１６は、長尺体で構成され、その長手方向に貫通する貫通孔１６１が形成されたている。図１４中「矢印V」および「矢印VI」に示すように、トーションバネ１５とともに貫通孔１６１に連結棒７９ａを挿通することができる。そして、その挿通状態で連結棒７９ａの各ピン７９４をそれぞれ上蓋７１の軸受け７１５ａに挿入することができ、よって、連結棒７９ａを介して、第１の係合部１０Ｂが上蓋７１に確実に連結される。
【００５６】
また、支持部材１６には、その途中に溝１６２が形成されている。溝１６２の底部は、トーションバネ１５の腕１５３が挿入され当接するバネ座として機能する。
この支持部材１６は、平面で構成された天面（上面）１６３を有している。図１５に示すように、支持部材１６は、上蓋７１に連結された際には、天面１６３が上蓋７１の天板７１１に当接する。これにより、支持部材１６が連結棒７９ａ回りに不本意に回転するのが規制され、よって、当該支持部材１６を確実に固定することができる。
【００５７】
次に、本実施形態の中留め５の作動状態（主として、中留め５が展開状態から折り畳み状態に変化する過程）について、図２、図１５を参照しつつ説明する。
図２に示すように、展開状態の中留め５の中留め本体７を把持して図中矢印Ｅ方向（反時計回りに）に移動操作すると、中留め本体７は、下板５２に経時的に（徐々に）接近する。そして、遂には、係合部材１４の爪１４１の傾斜面１４４が、係合部材８の爪８１に当接する（図１５（ａ）参照）。
【００５８】
図１５（ａ）に示す状態から中留め本体７を下板５２に向かって押し込む（押圧する）と、図１５（ｂ）に示すように、係合部材１４は、爪１４１が係合部材８の爪８１により押圧されて、トーションバネ１５の付勢力に抗して、反時計回りに回転する。この回転に伴って、係合部材８の爪８１が相対的に係合部材１４の爪１４１の傾斜面１４４を摺動しつつ登る。
【００５９】
図１５（ｂ）に示す状態から中留め本体７をさらに下板５２に向かって押し込む。これにより、係合部材８の爪８１が係合部材１４の爪１４１をさらに押圧するため、当該係合部材１４が回転し、係合部材１４の爪１４１の傾斜面１４４を登っていた係合部材８の爪８１が当該爪１４１を乗り越える（図１５（ｃ）参照）。また、その際には、係合部材１４は、係合部材１４が回転することにより増大したトーションバネ１５の付勢力によって、時計回りに回転する。このような構成により、係合部材８の爪８１が係合部材１４の爪１４１の係合面１４３に係合することができ、よって、中留め５が折り畳み状態で維持される。
【００６０】
また、折り畳み状態（図１５（ｃ）に示す状態）の中留め５の中留め本体７を把持して、図２に示すように、図中矢印Ｆ方向（時計回りに）に引張り操作（移動操作）する。この操作により、前記と逆の動作が行われる。ここで、係合部材１４は、その平面で構成された頂面（上面）１４６が上蓋７１の天板７１１に当接することにより、時計回りの回転が規制され（図１５（ａ）、（ｃ）参照）、この規制された状態で係合部材１４の爪１４１の係合面１４３が係合部材８をトーションバネ９の付勢力に抗して時計回りに回転させつつ、遂には係合部材８の爪８１が爪１４１を再度乗り越えることとなる。これにより、係合部材８の爪８１と係合部材１４の爪１４１との係合が解除され、よって、中留め５を展開状態とすることができる。
このように、本実施形態の中留め５でも、中留め本体７を押し込んだり、引張ったりするという簡単な操作で、中板５１と下板５２とが保持機構６により係合した状態と、その係合状態を解除した状態とを取り得、操作性に優れたものとなっている。
【００６１】
以上、本発明の留め具および腕時計を図示の実施形態について説明したが、本発明は、これに限定されるものではなく、留め具および腕時計を構成する各部は、同様の機能を発揮し得る任意の構成のものと置換することができる。また、任意の構成物が付加されていてもよい。
また、本発明の留め具および腕時計は、前記各実施形態のうちの、任意の２以上の構成（特徴）を組み合わせたものであってもよい。
前記実施形態では、留め具を腕時計の中留めに適用した例について説明したが、その他に留め具をブレスレット等のアクセサリー（装飾品）の一部にも適用することができる。
【符号の説明】
【００６２】
１……時計（腕時計）  ２……外装部  ２１……ガラス板（カバーガラス）  ２２……ベゼル  ２３……胴部  ２４……りゅうず  ３……ムーブメント  ３１……時計用針  ４……バンド（腕時計用バンド）  ４１……第１のバンド本体  ４２……第２のバンド本体  ５……中留め（留め具）  ５１……中板（第１の板部材）  ５１１……帯体  ５１２……左端部  ５１３……右端部  ５２……下板（第２の板部材）  ５２１……右端部  ５２２……左端部  ５２３……貫通孔  ５４、５４Ａ……支持部材  ５４１……底部  ５４２ａ、５４２ｂ……壁部  ５４３……固定部  ５４４……貫通孔  ５４５……当接面（ストッパ面）  ５５……軸部材  ５５１……フランジ部  ５５２……他端部  ６……保持機構  ７……中留め本体（ベース）  ７１……上蓋（ベース本体）  ７１１……天板  ７１２……側壁  ７１３……空間  ７１４……内面  ７１５ａ……軸受け  ７１６……外面  ７９ａ……連結棒（連結部材（棒状体））  ７９１……筒体  ７９２……軸部  ７９３……フランジ  ７９４……ピン  ７９５……コイルバネ  ８……係合部材（第２の係合部材）  ８１……爪（第２の係合部）  ８２……挿通孔  ８５……湾曲部  ８６……溝  ８７……角部  ８８……底面（下面）  ９……トーションバネ（ねじりコイルバネ（第２の付勢部材））  ９１……線状体  ９２、９３……腕  １０、１０Ａ、１０Ｂ……第１の係合部  １１……長尺体  １１１……天面（上面）  １１２……貫通孔  １１３……爪  １１４、１１５……傾斜面  １２……トーションバネ（第１の付勢部材）  １２１……線状体  １２２ａ、１２２ｂ、１２３……腕  １３……支持部材  １３１……貫通孔  １３２ａ、１３２ｂ……溝  １３３……天面（上面）  １４……係合部材（第１の係合部材）  １４１……爪  １４２……挿通孔  １４３……係合面  １４４……傾斜面  １４５……溝  １４６……頂面（上面）  １５……トーションバネ（第１の付勢部材）  １５１……線状体  １５２、１５３……腕  １６……支持部材  １６１……貫通孔  １６２……溝  １６３……天面（上面）  θ１、θ２……傾斜角度
【図１】
2011041629.tif 000003
【図２】
2011041629.tif 000004
【図３】
2011041629.tif 000005
【図４】
2011041629.tif 000006
【図５】
2011041629.tif 000007
【図６】
2011041629.tif 000008
【図７】
2011041629.tif 000009
【図８】
2011041629.tif 000010
【図９】
2011041629.tif 000011
【図１０】
2011041629.tif 000012
【図１１】
2011041629.tif 000013
【図１２】
2011041629.tif 000014
【図１３】
2011041629.tif 000015
【図１４】
2011041629.tif 000016
【図１５】
2011041629.tif 000017